(57)【要約】【課題】本発明の目的は収納ケース自体の耐久性が高まり、しかも、収納したロッド状用品の保護性能を高め得るロッド収納ケースを提供することにある。【解決手段】本発明は連続して繋がれた隣接する面要素２１により三次元の連続凹凸多面形状２０を形成したシート状の表面保護層１７をケース本体２の外壁面に添設したロッド収納ケース１である。【選択図】    図１
2004154005.tif 000002
【特許請求の範囲】
【請求項１】
立体形状部を連続して形成したシート材をケース本体の外壁面に添設したことを特徴とするロッド収納ケース。
【請求項２】
連続して繋がれた隣接する面要素により凹凸多面の立体形状に形成したシート材をケース本体の外壁面に添設したことを特徴とするロッド収納ケース。
【請求項３】
上記各面要素は三角形以上の多角形であり、各面要素はその辺で隣接する面要素を繋いだことを持徴とする請求項２に記載のロッド収納ケース。
【請求項４】
上記ケース本体は柔軟性を有し、上記シート材は弾性層を介して上記ケース本体の外壁面に添設したことを持徴とする請求項１、請求項２または請求項３に記載のロッド収納ケース。
【発明の詳細な説明】
【０００１】
【発明の属する技術分野】
本発明は釣り竿を保管したり運搬したりする場合に使用するロッド収納ケースに関する。
【０００２】
【従来の技術】
釣り竿を携帯する場合に収納する釣り竿ケースは円筒状のケース本体を有しており、そのケース本体にはショルダーベルト等を取り付けて運搬できるようになっている。釣り竿ケースは釣り場に持ち込んだり、携帯中または自動車等に積み込み輸送中に物等がケース本体に当り、衝撃または圧迫されることが多い。このため、収納ケースは極力軽量で携帯性に優れるだけでなく、同時に収納した釣り竿に衝撃や圧迫を与えない、保護機能が高いものであることが求められる。
【０００３】
特許文献１において提案された釣竿収納ケースは比較的剛性の合成樹脂製外管外周面に環状の山部と環状の谷部を交互に形成し、ケース本体の保護機能を高めたものである。
【０００４】
【特許文献１】
実開平３−９９９６９号公報（図２）
【０００５】
【発明が解決しようとする課題】
特許文献１の釣竿収納ケースは外周面に環状の山部と環状の谷部を交互に形成した合成樹脂製の外管からなるものであるため、外力が加わって外管が変形すると、谷部に沿って破損する虞があった。また、収納ケース本体が比較的硬質なものとなっているため、衝撃が減衰せずに収納した釣竿まで伝わり、収納した釣竿を痛め易い。しかも、収納ケースが硬質な管状形状になるため、把持携帯性に劣るものであった。
【０００６】
本発明は上記課題に着目してなされたもので、その目的とするところは、収納ケースの保形性を高め、収納したロッド状用品の保護性能を向上すると共に把持し易いロッド収納ケースを提供することにある。
【０００７】
【課題を解決するための手段】
請求項１に係る発明は、立体形状部を連続して形成したシート材をケース本体の外壁面に添設したことを特徴とするロッド収納ケースである。
請求項２に係る発明は、連続して繋がれた隣接する面要素により凹凸多面の立体形状に形成したシート材をケース本体の外壁面に添設したことを特徴とするロッド収納ケースである。
請求項３に係る発明は、上記各面要素は三角形以上の多角形であり、各面要素はその辺で隣接する面要素を繋いだことを持徴とする請求項２に記載のロッド収納ケースである。
請求項４に係る発明は、上記ケース本体は柔軟性を有し、上記シート材は弾性層を介して上記ケース本体の外壁面に添設したことを持徴とする請求項１、請求項２または請求項３に記載のロッド収納ケースである。
【０００８】
【発明の実施の形態】
以下、本発明の一実施形態として釣り竿収納ケースについて説明する。図１はその釣り竿収納ケース１全体を示している。この釣り竿収納ケース１は比較的柔軟性を有する合成樹脂の布や合成樹脂シートまたは芯材等を含む複数層構造によって構成した基礎シート２によってロッド状用品としての釣竿を収納できる収納空間３を内部に形成した縦長の釣り竿ケース本体４を備える。釣り竿ケース本体４の一側部には上端から下端の底皿５にわたって上記収納空間３から釣竿を取り入れするための口部６が形成されている（図２参照）。口部６にはファスナ７が設けられていて、ファスナ７はレール８に沿って開閉操作具９をノブ１０によってスライドし開閉できるようになっている。
【０００９】
また、釣り竿ケース本体４の前面には携帯用のショルダーベルト１１とハンドル１２が取り付けられている。釣り竿ケース本体４の中央部には小物入１３とその開閉用ファスナ１４が設けられている。
【００１０】
図１に示すようにショルダーベルト１１とハンドル１２よりも上側に位置した釣り竿ケース本体４の比較的細い首部１９の部分における基礎シート２の外面（外壁面）には外部からの衝撃や圧迫を緩和して収納した釣竿を保護する保護シート１５が上記基礎シート２の外面形状に応じた湾曲状態で添設されている。ここで、保護シート１５は収納空間３の口部６を避けて釣り竿ケース本体４の前面に配置されている。
【００１１】
上記保護シート１５は図２に示すようにエチレン酢酸ビニルやポリエチレンやポリ塩化ビニル等の発泡合成樹脂材によって形成した弾性層（弾性樹脂層）１６と、この弾性層１６の上に重ねて設けられたウレタン等の表面保護層１７とから成る。表面保護層１７は弾性層１６よりも厚みが小さいシート状のものであって上記弾性層１６に比べて保形性がある。
【００１２】
図３及び図４に示すように保護シート１５の表面保護層１７には三次元の連続凹凸多面形状２０が付与されていて、この立体形状により保護シート１５を機械的に補強している。
【００１３】
この三次元の連続凹凸多面形状２０を形成する場合はこの立体形状に対応した凹凸形状の型面を有する型の型面を加熱しながら保護シート１５の表面保護層１７に押し付けてシート状の表面保護層１７を変形し、この後、冷却硬化させて連続した立体形状を成形する。従って、表面保護層１７はこのような加工が可能な材料を選択すれば、その加工によって簡便に形成できる。もちろん、表面保護層１７の加工方法はこれに限定されず、表面保護層１７の製法は一体成型するなど、他の方法であってもよい。
【００１４】
なお、この表面保護層１７を加熱プレス加工する際、通常は図３に示すように、上記シート状の表面保護層１７の内面にも凹凸が現れる。このとき、上記発泡合成樹脂層からなる弾性層１６内に上記表面保護層１７内面の凹凸が収まり、釣り竿ケース本体４の基礎シート２の外面には当らず、距離をあけて弾性層１６内に留まるようになっている。図３では破断面の形態のみならず、破断面よりも下方の膨らむ部分も斜めに見えるので、遠方の部分も表している。
【００１５】
ここでの三次元の連続凹凸多面形状２０は略三角形の複数の面要素２１を連続して繋ぎ、これらの連続する面要素２１によって凹凸する多面形状を形成している。そして、立体形状の凸状部２２と凹部２３が斜め格子状に交互に配置され、かつ凸状部２２の間に凹部２３が配置された形になっている。
【００１６】
また、表面保護層１７の連続凹凸多面形状２０における隣接する面要素２１の向きは互いに異なり、一つ置きの面要素２１の向きが同じ向きになる。各面要素２１は隣接する面要素２１と直接または近接して繋がれ、通常はその連繋部が曲面や丸みまたは狭い幅の境界部として形成されている。そして、このように複数の立体形状部を連続して形成したシート材によって表面保護層１７を構成し、これをケース本体１の外壁面に添設する。
【００１７】
図４は表面保護層１７の連続凹凸多面形状２０の部分を略正面から見たものであり、各面要素２１は略三角形、特に二等辺三角形に見える。また、各面要素２１の三角形が左右方向においては正逆の向きで交互に並び、上下方向においては三角形の頂点同士または三角形の下辺同士が接するように交互に並ぶ。このとき、一対の面要素２１がいわばダイヤモンド型に並んでいる。また、同図４中の実線は「山線」を表し、点線は「谷線」を表している。各三角形の斜辺２６が山線となり、各三角形の底辺２７が谷線となる。
【００１８】
なお、保護シート１５の表面保護層１７に形成する連続する立体形状は面要素２１が三角形に見える場合に限らず、台形などの多角形または他の形状のものであってもよい。例えば、脚の長さが等しい台形の場合、正逆の向きで上下左右に交互に並べ、脚同士を隣接して繋ぎ、さらに上底同士及び下底同士を隣接して繋ぐようにする。このとき、隣り合う一対の台形は六角形になる。また、連続する立体形状の要素としても凹凸、窪み、突起、曲面または傾斜角が相違する平面等であってもよく、また、以上のものが混在した連続する立体形状のものであってもよい。
【００１９】
以上の如く、保護シート１５の弾性層１６の上に設けた比較的薄い表面保護層１７に対し、三次元の連続凹凸多面形状２０を付与するため、保護シート１５の曲げ強度（保形性）と耐衝撃性を高め得る。また、保護シート１５の面方向の剛性も高める。そして、このような保護シート１５を釣り竿収納ケース１の特に弱い首部１９の部分に設けたから外部からの圧迫や衝撃を緩和して収納した釣竿を保護することができる。
【００２０】
すなわち、携帯用のショルダーベルト１１とハンドル１２よりも上方側に位置する首部１９の部分では下側部部分よりも細目に形成される。このため、この首部１９の部分は一般に他の部分よりも変形し易い。しかし、この首部１９の部分に上記保護シート１５を添設することによって細目の部分を補強し、外力を受けても簡単に変形することを防止でき、また、物に当ったときの衝撃を緩和することができる。また、三次元の連続凹凸多面形状２０を保護シート１５の外面に付与したことにより、釣り竿ケース本体４の首部１９を持って釣り竿収納ケース１を取り扱う場合に触れる手が滑り難い。このため、釣り竿収納ケース１の取り扱い操作性が高まる。
【００２１】
さらに、弾性層１６の上に設けた比較的薄い表面保護層１７に対し、三次元の連続凹凸多面形状２０を付与するから保護シート１５全体を厚くしないで保形性が高める。
【００２２】
三次元の連続凹凸多面形状２０の凹部２３は加熱押圧して形成されるので、他の凸状部（突部）２２の部分よりも材料の密度が大きく曲げにくくなって、竿収納ケース１の保形性が高める。連続凹凸多面形状２０の凹凸形状は保形性を高めると同時に全体として弾性的な柔軟性を付与することになり、その結果、障害物に当ったときにその弾性で衝撃を和らげる。したがって、この保護シート１５は折り曲げと衝突の両方に対して釣竿を保護するという効果を奏する。
【００２３】
なお、本発明は上述した形態に限られるものではない。例えば、釣り竿ケース本体４の必要とする領域を選んで保護シートを添設すればよく、従って、釣り竿ケース本体の首部の部分に保護シートを設ける場合に限らない。また、釣り竿ケース本体の首部の部分から他の部分にわたり保護シートを設けてもよい。この場合、釣り竿ケース本体の首部の部分に設ける保護シートの表面保護層にのみ、凹凸多面形状の立体形状を形成するようにしてもよい。
【００２４】
【発明の効果】
以上説明したように本発明のロッド収納ケースによれば、ケース本体の外表面に三次元の立体形状部を連続的に付与したシート材を添設したので、収納ケースの保形性が増すと共に障害物に当てたときでも、その衝撃を和らげ、内容物の破損を防止できる。さらに、収納ケースを取り扱う場合にシート材に触れる手が滑り難いため、収納ケースの取り扱い操作性が高まる。
【図面の簡単な説明】
【図１】本発明の一実施形態に係る釣り竿収納ケース全体の斜視図である。
【図２】図１中Ａ−Ａ線に沿う横断面図である。
【図３】本発明の一実施形態に係る釣り竿収納ケースの保護シートの部分の拡大横断面図である。
【図４】本発明の一実施形態に係る釣り竿収納ケースの保護シートの部分の拡大した正面図である。
【符号の説明】
１…釣り竿収納ケース
２…基礎シート
３…収納空間
４…釣り竿ケース本体
６…開口
１１…ショルダーベルト
１５…保護シート
１６…弾性層
１７…表面保護層
１９…首部
２０…連続凹凸多面形状
２１…面要素
２２…凸状部
２３…凹部
２６…斜辺
２７…底辺
【図１】
2004154005.tif 000003
【図２】
2004154005.tif 000004
【図３】
2004154005.tif 000005
【図４】
2004154005.tif 000006